(57)【要約】      （修正有）【課題】使用者が腰を屈めなくても、力を加えて地面を清掃することができ、使用しないときには、折畳んで収納することができる補助ハンドルを提供する。【解決手段】縦方向ロッド部１１と、横方向ロッド部１２と、接合部１３とから構成され、前記縦方向ロッド部の一端が横方向ロッド部の中段に連接され、前記縦方向ロッド部の他端には枢着段１１１が設けてあり、前記接合部の外周面には枢着段に枢着された組付け段１３１が設けてあり、且つ前記組付け段の底端には枢着段を止めるための止め処が設けてあることを特徴とする補助ハンドル。【選択図】図１
0003110236.tif 000002
【実用新案登録請求の範囲】
【請求項１】
縦方向ロッド部と、
横方向ロッド部と、
接合部とから構成し、
前記縦方向ロッド部の一端を横方向ロッド部の中段に連接し、
前記縦方向ロッド部の他端には枢着段を設け、
前記接合部の外周面には枢着段に枢着された組付け段を設け、
前記組付け段の底端には枢着段を止めるための止め処を設けたことを特徴とする、
補助ハンドル。
【請求項２】
前記接合部はスリーブ形状を呈することを特徴とする、
請求項１に記載の補助ハンドル。
【請求項３】
前記接合部は、一つの開口を有し、
その両端には外側へ延びた凸片をそれぞれ一つ設け、
二つの凸片が互いに近接するように、二つの凸片の間には一つの固定素子を挿通したことを特徴とする、
請求項１に記載の補助ハンドル。
【請求項４】
前記接合部の縦方向ロッド部に連接しない周壁の肉厚を、弾性を有するように薄く形成したことを特徴とする、
請求項３に記載の補助ハンドル。
【請求項５】
前記接合部は、一端が閉鎖状態であり、他端が開口状態を呈し、手で握ることが可能なスリーブ体であることを特徴とする、
請求項１に記載の補助ハンドル。
【請求項６】
前記縦方向ロッド部は、接合部から横方向ロッド部へ下に傾斜するように設けたことを特徴とする、
請求項１に記載の補助ハンドル。
【請求項７】
前記接合部の内径は嵌合するロッド体の外径よりもやや大きいか又は同径であることを特徴とする、
請求項１に記載の補助ハンドル。
【請求項８】
前記接合部はスリーブ形状を呈し、
接合部にある取付け段の下には止め処を設けたことを特徴とする、
請求項７に記載の補助ハンドル。
【請求項９】
前記接合部は、一つの開口を有し、
その両端には外側へ延びた凸片をそれぞれ一つ設け、
二つの凸片が互いに近接するように、二つの凸片の間には一つの固定素子を挿通し、
接合部にある取付け段の下には止め処を設けたことを特徴とする、
請求項１に記載の補助ハンドル。
【請求項１０】
前記接合部の縦方向ロッド部に連接しない周壁の肉厚を、弾性を有するように薄く形成したことを特徴とする、
請求項９に記載の補助ハンドル。
【請求項１１】
前記接合部は、一端が閉鎖状態であり、他端が開口状態を呈し、手で握ることが可能なスリーブ体であることを特徴とする、
請求項７に記載の補助ハンドル。
【請求項１２】
前記縦方向ロッド部は、接合部から横方向ロッド部へ下に傾斜するように設けたことを特徴とする、
請求項７に記載の補助ハンドル。
【考案の詳細な説明】
【技術分野】
【０００１】
本考案は補助ハンドルに係り、特にロッド体に補助ハンドルを取付けることにより、使用者が腰を屈めなくても、力を加えて地面などを清掃でき、使用しないときには、折畳んで収納することができる補助ハンドルに関するものである。
【背景技術】
【０００２】
環境を清潔に維持するために掃除するが、地面を清掃するには通常ブラシを使用するものである。
【０００３】
地面を清掃するためのブラシで地面を清掃するときには、使用者が両手でブラシにあるロッド体を上下に握って力を加えないと、汚れた地面を清潔に清掃することができない。
この場合、使用者が両手でブラシのロッド体を上下に握って力を加えて地面を清掃する場合には、使用者の腰が屈んだ状態になる。
清掃する面積が狭く清掃の時間が短ければ、使用者の腰も痛くならないが、清掃する面積が広くて清掃の時間が長いと、使用者の腰は痛くなり易く疲れ易い。
特に、高齢者や、腰を屈めることができない者や、妊娠している女性にとっては、腰の痛み及び疲れがより酷くなる。
【考案の開示】
【考案が解決しようとする課題】
【０００４】
本考案の主な目的は、使用者が腰を屈めなくても、力を加えて地面を清掃することができ、使用しないときには、折畳んで収納することができる補助ハンドルを提供する。
【課題を解決するための手段】
【０００５】
上記目的を達成するためになされた本願の第１考案は、縦方向ロッド部と、横方向ロッド部と、接合部とから構成され、前記縦方向ロッド部の一端が横方向ロッド部の中段に連接され、前記縦方向ロッド部の他端には枢着段が設けてあり、前記接合部の外周面には枢着段に枢着された組付け段が設けてあり、且つ前記組付け段の底端には枢着段を止めるための止め処が設けてあることを特徴とする補助ハンドルであることを要旨としている。
【０００６】
本願の第２考案では、前記接合部はスリーブ形状を呈することを特徴とする第１考案に記載の補助ハンドルであることを要旨としている。
【０００７】
本願の第３考案では、前記接合部は、一つの開口を有し、その両端には外側へ延びた凸片がそれぞれ一つ設けてあり、二つの凸片の間には一つの固定素子が挿通してあり、前記固定素子の挿通により、二つの凸片が互いに近接することを特徴とする第１考案に記載の補助ハンドルであることを要旨としている。
【０００８】
本願の第４考案では、前記接合部の縦方向ロッド部に連接しない周壁の肉厚を、弾性を有するように薄く形成したことを特徴とする第３考案に記載の補助ハンドルであることを要旨としている。
【０００９】
本願の第５考案では、前記接合部は、一端が閉鎖状態であり他端が開口状態を呈し、手で握ることが可能なスリーブ体であることを特徴とする第１考案に記載の補助ハンドルであることを要旨としている。
【００１０】
本願の第６考案では、前記縦方向ロッド部は、接合部から横方向ロッド部へ下に傾斜するように設けたことを特徴とする第１考案に記載の補助ハンドルであることを要旨としている。
【００１１】
本願の第７考案では、前記接合部の内径は嵌合するロッド体の外径よりもやや大きい又は同径であることを特徴とする第１考案に記載の補助ハンドルであることを要旨としている。
【００１２】
本願の第８考案では、前記接合部はスリーブ形状を呈し、且つ接合部にある取付け段の下には止め処が設けてあることを特徴とする第７考案に記載の補助ハンドルであることを要旨としている。
【００１３】
本願の第９考案では、前記接合部は、一つの開口を有し、その両端には外側へ延びた凸片をそれぞれ一つ設けてあり、二つの凸片の間には一つの固定素子が挿通してあり、前記固定素子の挿通により、二つの凸片が互いに近接し、且つ接合部にある取付け段の下には止め処が設けてあることを特徴とする第１考案に記載の補助ハンドルであることを要旨としている。
【００１４】
本願の第１０考案では、前記接合部の縦方向ロッド部に連接しない周壁の肉厚を、弾性を有するように薄く形成したことを特徴とする第９考案に記載の補助ハンドルであることを要旨としている。
【００１５】
本願の第１１考案では、前記接合部は、一端が閉鎖状態であり他端が開口状態を呈し、手で握ることが可能なスリーブ体であることを特徴とする第７考案に記載の補助ハンドルであることを要旨としている。
【００１６】
本願の第１２考案では、前記縦方向ロッド部は、接合部から横方向ロッド部へ下に傾斜するように設けてもいいことを特徴とする第７考案に記載の補助ハンドルであることを要旨としている。
【考案の効果】
【００１７】
本考案に係る補助ハンドルによれば、補助ハンドルをロッド体に結合した後に、使用者は、片手でロッド体を握り、他方の手で補助ハンドルにある横方向ロッド部を握ることにより、使用者が立ったまま力を加えることができ、腰を屈めることが必要ない。
本考案に係る補助ハンドル１によれば、力を加えることが人間工学に合うので、使用者の操作が楽になる。
補助ハンドルにある縦方向ロッド部と接合部の間には折畳み構造を設計してあるので、補助ハンドルを使用しないときには、補助ハンドルを折畳んで収納すると、全体の占めるスペースは小さくなり、収納が便利になる。
また、補助ハンドルにある接合部とロッド体の間の緊密度による旋回可能な構造により、ロッド体で補助ハンドルが旋回可能であり、ロッド体を旋回して使用しようとする場合には、補助ハンドルを旋回させることにより、ロッド体に取り付けた補助ハンドルが何時も前に向き、これにより、使用者が補助ハンドルを楽に握ることができる。
【考案を実施するための最良の形態】
【００１８】
以下、添付図面を参照して本考案の好適な実施の形態を詳細に説明する。
【実施例１】
【００１９】
まず、図１を参照する。本考案に係る実施例１の補助ハンドル１は、縦方向ロッド部１１と、横方向ロッド部１２と、接合部１３とから構成されるものである。
前記縦方向ロッド部１１の一端が横方向ロッド部１２の中段に連接され、前記補助ハンドル１がＴ字形を呈する。
なお、前記縦方向ロッド部１１の他端には枢着段１１１が設けてあり、スリーブ形状を呈する前記接合部１３の外周面には取付け段１３１が設けてあり、挿通素子１３２が取付け段１３１と枢着段１１１とを挿通することにより、縦方向ロッド部１１と接合部１３が枢着状態になる。
また、前記組付け段１３１の底端には枢着段１１１を止めるための止め処１３３が設けてある。
【００２０】
次に、図２乃至図４を参照する。本考案に係る補助ハンドル１を使用する場合には、補助ハンドル１のスリーブ形状の接合部１３を使用しようとするロッド体２に直接に嵌め込む。
前記接合部１３の内径がロッド体２の外径よりもやや小さいので、補助ハンドル１をロッド体２に嵌め込んだあと、補助ハンドル１が容易に摺動しない。
また、縦方向ロッド部１１を下へ展開させると共に、接合部１３にある止め処１３３により縦方向ロッド部１１が止められる。
片手でロッド体２を握って、他方の手で補助ハンドル１にある横方向ロッド部１２を握ることにより、使用者が立ったまま力を加えることができ、腰を屈めることが必要ない。
本考案に係る補助ハンドル１によれば、力を加えることが人間工学に合うので、使用者の操作が楽になる。
【００２１】
本考案に係る補助ハンドル１を使用しない場合には、図５に示すように、縦方向ロッド部１１を上へ折畳んでロッド体２に寄らせることで、本考案に係る補助ハンドル１全体の占めるスペースが小さくなり、収納に便利になる。
【実施例２】
【００２２】
また、図６に示すように、補助ハンドル１にある接合部１３をロッド体２に嵌め込んだ後、接合部１３とロッド体２とに固定素子１４を挿通することにより、補助ハンドル１がロッド体２に堅実に固定されるようになる。
【実施例３】
【００２３】
また、図７と図８に示すのは、本考案に係る実施例３の補助ハンドル３は、縦方向ロッド部３１と、横方向ロッド部３２と、接合部３３とから構成されるものであり、前記縦方向ロッド部３１の一端が横方向ロッド部３２の中段に連接されると、前記補助ハンドル３がＴ字形を呈する。
前記縦方向ロッド部３１の他端には枢着段３１１が設けてあり、前記接合部３３は、一端が閉鎖状態であり他端が開口状態を呈し、手で握ることが可能なスリーブ体である。
前記接合部３３の外周面には取付け段３３１が設けてあり、挿通素子３３２が取付け段３３１と枢着段３１１とを挿通することにより、縦方向ロッド部３１と接合部３３が枢着状態になる。
また、前記組付け段３３１の底端には枢着段３１１を止めるための止め処３３３が設けてある。
【００２４】
補助ハンドル３の接合部３３をロッド体２に直接嵌め込む。
前記接合部３３の内径がロッド体２の外径よりもやや小さいので、補助ハンドル３をロッド体２に嵌め込んだあと、補助ハンドル３が容易に摺動できなくなる。
このとき、片手でロッド体２を握って、他方の手で補助ハンドル３にある横方向ロッド部３２を握ることにより、使用者が立ったまま力を加えることができるので腰を屈めることが必要ない。
本考案に係る補助ハンドル３によれば、力を加えることが人間工学に合うので、使用者の操作が楽になる。
本考案に係る補助ハンドル３を使用しない場合には、縦方向ロッド部３１を上へ折畳んでロッド体２に寄らせることで、本考案に係る補助ハンドル３全体に占めるスペースが小さくなり、収納が便利になる。
【実施例４】
【００２５】
また、図９と図１０に示すように、前記補助ハンドル３にある縦方向ロッド部３１´は、接合部３３から横方向ロッド部３２へ下に傾斜するように設けることも可能である。
【実施例５】
【００２６】
また、図１１と図１２を参照する。本考案に係る実施例５の補助ハンドル４は、縦方向ロッド部４１と、横方向ロッド部４２と、接合部４３とから構成されるものであり、前記縦方向ロッド部４１の一端が横方向ロッド部４２の中段に連接されると、前記補助ハンドル４がＴ字形を呈する。
前記縦方向ロッド部４１の他端には枢着段４１１が設けてあり、前記接合部４３は開口４３１を有することにより、前記接合部４３が弾力を持つ。
前記接合部４３の両端には外側へ延びた凸片４３２がそれぞれ一つに設けてあり、二つの凸片４３２の間には一つの固定素子４３３が挿通してあり、前記固定素子４３３の締結により、二つの凸片が互いに近接し、だから、接合部４３の内径が縮小になる。
前記接合部４３の縦方向ロッド部４１に連接しない周壁の肉厚より薄くすることにより、接合部４３の持つ弾性がより良くなる。
前記接合部４３の外周面には取付け段４３４が設けてあり、挿通素子４３５が取付け段４３４と枢着段４１１とを挿通することにより、縦方向ロッド部４１と接合部４３が枢着状態になる。
また、前記組付け段４３４の底端には、枢着段４１１を止めるための止め処４３６が設けてある。
【００２７】
本考案に係る補助ハンドル４を使用するときには、補助ハンドル４の接合部４３が使用しようとするロッド体２に直接に嵌め込んで、且つ接合部４３にある二つの凸片４３２に固定素子４３３を挿通して締結することにより、二つの凸片４３２が互いに近接し、二つの凸片４３２の間にある開口４３１の幅が小さくなり、接合部４３の内径が縮小する。
これにより、接合部４３がロッド体２を挟み、接合部４３がロッド体２に固定されるようになり、このとき、片手でロッド体２を握って、他方の手で補助ハンドル４にある横方向ロッド部４２を握ることにより、使用者が立ったままで力を加えることができ、腰を屈めることが必要なくなる。
本考案に係る補助ハンドル４によれば、力を加えることが人間工学に合うので、使用者の操作が楽になる。
本考案に係る補助ハンドル４を使用しない場合には、縦方向ロッド部４１を上へ折畳んでロッド体２に寄せると、本考案に係る補助ハンドル４全体の占めるスペースが小さくなり、収納に便利である。
【実施例６】
【００２８】
図１３と図１４を参照する。
本考案に係る実施例６の補助ハンドル５は、縦方向ロッド部５１と、横方向ロッド部５２と、接合部５３とから構成されるものであり、前記縦方向ロッド部５１の一端が横方向ロッド部５２の中段に連接され、前記補助ハンドル５がＴ字形を呈する。
前記縦方向ロッド部５１の他端には枢着段５１１が設けてあり、スリーブ形状を呈する前記接合部５３の内径をロッド体２の外径よりもやや大きくすることにより、補助ハンドル５をロッド体２に嵌め込んだあと、補助ハンドル５を容易に旋回可能である。
前記接合部５３の内径は嵌合するロッド体２の外径とほぼ同様にすることにより、力を少し加えると、補助ハンドル５が旋回できる。
前記接合部５３の外周面には取付け段５３１が設けてあり、挿通素子５３２が取付け段５３１と枢着段５１１とを挿通することにより、縦方向ロッド部５１と接合部５３が枢着状態になる。
前記組付け段５３１の底端には枢着段５１１を止めるための止め処５３３が設けてあり、また、接合部５３の下には、補助ハンドル５を止めるための止め素子２１を設けることも可能である。
【００２９】
本考案に係る補助ハンドル５を使用する場合には、補助ハンドル５のスリーブ形状の接合部５３を使用しようとするロッド体２に直接に嵌め込み、前記補助ハンドル５がロッド体２で旋回自在となる。
止め素子２１により、補助ハンドル５がロッド体２の上段に制限されるようになり、このとき、片手でロッド体２を握って、他方の手で補助ハンドル５にある横方向ロッド部５２を握ることにより、使用者が立ったままで力を加えることができ、腰を屈めることが必要ない。
本考案に係る補助ハンドル３によれば、力を加えることが人間工学に合うので、使用者の操作が楽になる。
【００３０】
ロッド体２を旋回して使用しようとする場合には、補助ハンドル５を旋回させることにより、ロッド体２に取り付けられた補助ハンドル５が何時でも前に向く。このため、使用者が補助ハンドル５を楽に握ることができる。
【実施例７】
【００３１】
また、図１５に示すのは、本考案に係る実施例７の補助ハンドル６は、縦方向ロッド部６１と、横方向ロッド部６２と、接合部６３とから構成されるものであり、前記縦方向ロッド部６１の一端を横方向ロッド部６２の中段に連接し、前記補助ハンドル６がＴ字形を呈する。
前記縦方向ロッド部６１の他端には枢着段６１１が設けてあり、前記接合部６３は、一端が閉鎖状態であり他端が開口状態を呈し、手で握ることが可能なスリーブ体であり、接合部６３をロッド体２に嵌合した後、力を加えると、補助ハンドル６が旋回できる。
また、前記接合部６３の外周面には取付け段６３１が設けてあり、挿通素子６３２が取付け段６３１と枢着段６１１とを挿通することにより、縦方向ロッド部６１と接合部６３が枢着状態になり、また、前記組付け段６３１の底端には枢着段６１１を止めるための止め処６３３が設けてある。
【００３２】
本考案に係る補助ハンドル６を使用する場合には、補助ハンドル６のスリーブ形状の接合部６３を使用しようとするロッド体２に直接に嵌め込み、力を加えると、前記補助ハンドル６がロッド体２で旋回可能である。
このため、片手でロッド体２を握って、他方の手で補助ハンドル６にある横方向ロッド部６２に握ることにより、使用者が立ったままで力を加えることができ、腰を屈めることが必要ない。
本考案に係る補助ハンドル３によれば、力を加えることが人間工学に合うので、使用者の操作が楽になる。
ロッド体２を旋回して使用しようとする場合には、補助ハンドル６を旋回することにより、ロッド体２に取り付けられた補助ハンドル６が何時も前に向き、使用者が補助ハンドル６を楽に握ることが出来る。
【実施例８】
【００３３】
また、図１６に示すように、前記補助ハンドル６にある縦方向ロッド部６１´は、接合部６３から横方向ロッド部６２へ下に傾斜するように設けることも可能である。
【実施例９】
【００３４】
また、図１７を参照する。本考案に係る実施例９の補助ハンドル７は、縦方向ロッド部７１と、横方向ロッド部７２と、接合部７３とから構成されるものであり、前記縦方向ロッド部７１の一端が横方向ロッド部７２の中段に連接され、前記補助ハンドル７がＴ字形を呈する。
前記縦方向ロッド部７１の他端には枢着段７１１が設けてあり、前記接合部７３は開口７３１を有することにより、前記接合部７３は弾力を有する。
前記接合部７３の両端には外側へ延びた凸片７３２がそれぞれ一つに設けてあり、二つの凸片７３２の間には一つの固定素子７３３が挿通してあり、前記固定素子７３３の締結により、二つの凸片が互いに近接するため、接合部７３の内径が縮小する。
また、前記接合部７３の縦方向ロッド部７１に連接しない周壁の肉厚をより薄くすることにより、接合部７３の持つ弾性がより良くなる。
前記接合部７３の外周面には取付け段７３４が設けてあり、挿通素子７３５が取付け段７３４と枢着段７１１とを挿通することにより、縦方向ロッド部７１と接合部７３が枢着状態になる。
また、前記組付け段７３４の底端には枢着段７１１を止めるための止め処７３６が設けてある。
接合部７３の下には、補助ハンドル７を止めるための止め素子２１を設けることも可能である。
【００３５】
本考案に係る補助ハンドル７を使用するときには、補助ハンドル７の接合部７３を使用しようとするロッド体２に直接に嵌め込んで、且つ接合部７３にある二つの凸片７３２に固定素子７３３を挿通して締結する。
これにより、二つの凸片７３２が互いに近接し、二つの凸片７３２の間にある開口７３１の幅が小さくなり、接合部７３の内径が縮小になり、接合部７３がロッド体２を挟み、接合部７３がロッド体２に固定されるようになる。
また、適当な緊密度で補助ハンドル７をロッド体２に固定して、且つロッド体２に固定された止め素子２１により、補助ハンドル７がロッド体２の上段に制限される。
このとき、片手でロッド体２を握って、他方の手で補助ハンドル７にある横方向ロッド部７２を握ることにより、使用者が立ったまま力を加えることができ、腰を屈めることが必要ない。
本考案に係る補助ハンドル７によれば、力を加えることが人間工学に合うので、使用者の操作が楽になる。
【００３６】
ロッド体２を旋回して使用しようとする場合には、補助ハンドル７を旋回させることにより、ロッド体２に取り付けられた補助ハンドル７が何時も前に向く。
このため使用者が補助ハンドル７を楽に握ることができる。
【００３７】
このように、本考案は特定の例を参照して説明したが、それらの例は、説明のためだけのものであり、本発明を限定するものではない。
この分野の通常の知識を有する者には、本考案の精神および範囲を逸脱することなく、ここで開示された実施例に変更、追加、または、削除を施してもよい。
【図面の簡単な説明】
【００３８】
【図１】本考案に係る実施例１の分解斜視図である。
【図２】本考案に係る実施例１の組合状態の斜視図である。
【図３】本考案に係る実施例１の組合状態の側面図である。
【図４】本考案に係る実施例１の使用状態の概略図である。
【図５】本考案に係る実施例１を折畳んだ状態を示す概略図である。
【図６】本考案に係る実施例２の組合状態の断面図である。
【図７】本考案に係る実施例３の分解斜視図である。
【図８】本考案に係る実施例３の組合状態の側面図である。
【図９】本考案に係る実施例４の分解斜視図である。
【図１０】本考案に係る実施例４の組合状態の側面図である。
【図１１】本考案に係る実施例５の分解斜視図である。
【図１２】本考案に係る実施例５の組合状態の上面図である。
【図１３】本考案に係る実施例６の分解斜視図である。
【図１４】本考案に係る実施例６の組合状態の側面図である。
【図１５】本考案に係る実施例７の分解斜視図である。
【図１６】本考案に係る実施例８の分解斜視図である。
【図１７】本考案に係る実施例９の分解斜視図である。
【符号の説明】
【００３９】
１        補助ハンドル              １１      縦方向ロッド部
１１１    枢着段                    １２      横方向ロッド部
１３      接合部                    １３１    組付け段
１３２    挿通素子                  １３３    止め処
１４      固定素子                  ２        ロッド体
２１      止め素子                  ３        補助ハンドル
３１      縦方向ロッド部            ３１´    縦方向ロッド部
３１１    枢着段                    ３２      横方向ロッド部
３３      接合部                    ３３１    組付け段
３３２    挿通素子                  ３３３    止め処
４        補助ハンドル              ４１      縦方向ロッド部
４１１    枢着段                    ４２      横方向ロッド部
４３      接合部                    ４３１    開口
４３２    凸片                      ４３３    固定素子
４３４    組付け段                  ４３５    挿通素子
４３６    止め処                    ５        補助ハンドル
５１      縦方向ロッド部            ５１１    枢着段
５２      横方向ロッド部            ５３      接合部
５３１    組付け段                  ５３２    挿通素子
５３３    止め処                    ６        補助ハンドル
６１      縦方向ロッド部            ６１´    縦方向ロッド部
６１１    枢着段                    ６２    横方向ロッド部
６３      接合部                    ６３１    組付け段
６３２    挿通素子                  ６３３    止め処
７        補助ハンドル              ７１      縦方向ロッド部
７１１    枢着段                    ７２      横方向ロッド部
７３      接合部                    ７３１    開口
７３２    凸片                      ７３３    固定素子
７３４    組付け段                  ７３５    挿通素子
７３６    止め処
【図１】
0003110236.tif 000003
【図２】
0003110236.tif 000004
【図３】
0003110236.tif 000005
【図４】
0003110236.tif 000006
【図５】
0003110236.tif 000007
【図６】
0003110236.tif 000008
【図７】
0003110236.tif 000009
【図８】
0003110236.tif 000010
【図９】
0003110236.tif 000011
【図１０】
0003110236.tif 000012
【図１１】
0003110236.tif 000013
【図１２】
0003110236.tif 000014
【図１３】
0003110236.tif 000015
【図１４】
0003110236.tif 000016
【図１５】
0003110236.tif 000017
【図１６】
0003110236.tif 000018
【図１７】
0003110236.tif 000019